(57)【要約】【課題】雑音の多い環境と少ない環境での遅延プロファイル推定精度の両立を可能にできるようにする。【解決手段】パス有無フラグ変換器８４は、IFFTプロファイル推定部からのプロファイル推定結果を表わす信号に対し、パス成分があるか、あるいはパス成分がないかに応じたパス有無フラグを表わす信号を出力し、雑音推定器８３は、パス有無フラグを表わす信号に基づいて、マッチドフィルタ８１からの推定プロファイルを表わす信号のうち、パスなしと判定された区間の平均パワーを推定雑音量として演算し、雑音除去器８２は、推定雑音量に基づいて、マッチドフィルタ８１からの遅延プロファイルを表わす信号に対し、雑音除去処理を施す。本発明は、OFDM信号を受信する受信装置に適用することができる。【選択図】図７
2009164746.tif 000002
【特許請求の範囲】
【請求項１】
長い遅延のエコーを推定可能な第１のプロファイル推定器による第１のプロファイル推定結果と、短い遅延のエコーを推定可能な第２のプロファイル推定器による第２のプロファイル推定結果に基づいて遅延プロファイルの推定を行う受信装置において、
前記第２のプロファイル推定結果に基づいて、前記第１のプロファイル推定器における雑音量を適応的に推定する推定手段と、
推定された前記雑音量に基づいて、前記第１のプロファイル推定結果の雑音を除去する除去手段と
を備える受信装置。
【請求項２】
前記第２のプロファイル推定結果に対し、パス成分があるか、あるいはパス成分がないかを判定し、判定結果に応じて、パスあり信号と、パスなし信号に変換する変換手段を備え、
前記推定手段は、前記第１のプロファイル推定結果のうち、前記パスあり信号の区間を０に置換してから平均パワーを演算することで得られる結果を推定雑音量とする
請求項１に記載の受信装置。
【請求項３】
推定された前記推定雑音量を保持する保持手段をさらに備え、
前記推定手段は、前記第１のプロファイル推定結果のうち、前記パスあり信号の区間を、保持していた前記推定雑音量に置換してから平均パワーを演算することで得られる結果を推定雑音量とする
請求項２に記載の受信装置。
【請求項４】
前記パスあり信号を、最大パワーとなるパス成分を中心に反転させる反転手段をさらに備え、
前記推定手段は、前記第１のプロファイル推定結果のうち、前記パスあり信号の区間と、反転されたパスあり信号の区間を０に置換してから平均パワーを演算することで得られる結果を推定雑音量とする
請求項２に記載の受信装置。
【請求項５】
推定された前記推定雑音量を保持する保持手段をさらに備え、
前記推定手段は、前記第１のプロファイル推定結果のうち、前記パスあり信号の区間と、反転されたパスあり信号の区間を、保持していた前記推定雑音量に置換してから平均パワーを演算することで得られる結果を推定雑音量とする
請求項４に記載の受信装置。
【請求項６】
前記第１のプロファイル推定器は、受信信号の自己相関をとることで信号の到来時間の分布を推定するマッチドフィルタ型のプロファイル推定器であり、
前記第２のプロファイル推定器は、フレームに含まれるSP信号を復調して得られた周波数軸での伝播路情報を逆フーリエ変換することで、時間軸でのインパルス応答を推定するIFFT型のプロファイル推定器である
請求項１に記載の受信装置。
【請求項７】
長い遅延のエコーを推定可能な第１のプロファイル推定器による第１のプロファイル推定結果と、短い遅延のエコーを推定可能な第２のプロファイル推定器による第２のプロファイル推定結果に基づいて遅延プロファイルの推定を行う受信装置の受信方法において、
前記第２のプロファイル推定結果に基づいて、前記第１のプロファイル推定器における雑音量を適応的に推定し、
推定された前記雑音量に基づいて、前記第１のプロファイル推定結果の雑音を除去する
ステップを含む受信方法。
【請求項８】
長い遅延のエコーを推定可能な第１のプロファイル推定器による第１のプロファイル推定結果と、短い遅延のエコーを推定可能な第２のプロファイル推定器による第２のプロファイル推定結果に基づいて遅延プロファイルの推定を行う機器を制御するコンピュータに実行させるプログラムであって、
前記第２のプロファイル推定結果に基づいて、前記第１のプロファイル推定器における雑音量を適応的に推定し、
推定された前記雑音量に基づいて、前記第１のプロファイル推定結果の雑音を除去する
ステップを含むプログラム。
【発明の詳細な説明】
【技術分野】
【０００１】
本発明は、受信装置および方法、並びにプログラムに関し、特に、雑音の多い環境や少ない環境に関わらず、適切に雑音除去を行うことができるようにした受信装置および方法、並びにプログラムに関する。
【背景技術】
【０００２】
地上デジタル放送の変調方式として、多数の直交搬送波を用い、各搬送波をPSK(Phase Shift Keying)やQAM(Quadrature Amplitude Modulation)で変調する直交周波数分割多重方式（OFDM(Orthogonal Frequency Division Multiplexing)方式）が提案されている。
【０００３】
OFDM方式は、多数のサブキャリアで伝送帯域全体を分割するため、サブキャリア１波あたりの帯域は狭くなり、伝送速度は遅くなるが、トータルの伝送速度は従来の変調方式と変わらないという特徴を有している。
【０００４】
また、OFDM方式は、多数のサブキャリアが並列に伝送されるために、シンボル速度が遅くなるという特徴を有している。そのため、１シンボルの時間長に対する相対的なマルチパスの時間長を短くすることができ、これにより、マルチパスによる影響を受けにくくすることができるという特徴もOFDM方式は有している。
【０００５】
さらに、複数のサブキャリアにデータが割り当てられることから、OFDM方式は、逆フーリエ変換を変調時に行うIFFT(Inverse Fast Fourier Transform)演算回路を用いることにより送信回路を構成することができ、フーリエ変換を復調時に行うFFT(Fast Fourier Transform)演算回路を用いることにより受信回路を構成することができるという特徴を有している。
【０００６】
図１は、従来のOFDM受信機の構成を示すブロック図である。
【０００７】
図１に示すように、従来のOFDM受信機１は、受信アンテナ１１、周波数変換器１２、A/D（Analog/Digital）変換器１３、直交復調器１４、複合型遅延プロファイル推定器１５、ウィンドウ再生回路１６、FFT演算回路１７、SP信号抽出回路１８、時間方向伝送路推定回路１９、周波数方向伝送路推定回路２０、および伝送路補償器２１から構成される。
【０００８】
受信アンテナ１１により受信されたRF信号は、周波数変換器１２においてIF信号に周波数変換され、A/D変換器１３に供給される。
【０００９】
A/D変換器１３は、周波数変換器１２から供給されたIF信号に対してA/D変換を施し、A/D変換を施すことにより得られたデジタルのIF信号を直交復調器１４に供給する。
【００１０】
直交復調器１４は、A/D変換器１３から供給されたデジタル化されたIF信号に対し、直交復調を行い、ベースバンドのOFDM信号を取得する。このベースバンドのOFDM信号は、FFT演算が行われる前の、いわゆる時間領域の信号である。直交復調器１４は、この時間領域OFDM信号を、複合型遅延プロファイル推定器１５、ウィンドウ再生回路１６、およびFFT演算回路１７にそれぞれ供給する。
【００１１】
FFT演算回路１７は、ウィンドウ再生回路１６によって指定されるFFTウィンドウ位置に基づいて、直交復調器１４より供給される時間領域OFDM信号に含まれるGI部分を除去することにより、有効シンボル長の範囲の信号を抜き出す。
【００１２】
また、FFT演算回路１７は、抜き出したOFDM時間領域信号に対してFFT演算を行い、OFDM信号を復調し、復調したOFDM信号を、SP信号抽出回路１８および伝送路補償器２１に供給する。FFT演算回路１７から出力されたOFDM信号は、FFT演算が行われた後の、いわゆる周波数領域の信号である。
【００１３】
なお、FFT演算回路１７によるFFT演算における、FFT演算範囲は、FFTウィンドウと呼ばれ、このFFTウィンドウの開始位置であるFFTウィンドウ位置が、ウィンドウ再生回路１６により指定される。
【００１４】
SP信号抽出回路１８は、FFT演算回路１７から供給された周波数領域OFDM信号からSP信号を抽出し、SP信号の変調成分を除去することによって、SP信号の配置位置におけるサブキャリアの伝送路特性を推定する。SP信号抽出回路１８は、推定した伝送路特性を表わす信号を時間方向伝送路推定回路１９に供給する。
【００１５】
ここで、SP信号とは、伝送路特性を算出するために用いられるパイロット信号であって、スキャッタードパイロット信号の略称である。図２に、DVB-T規格やISDB-T規格等で採用されているSP信号のOFDMシンボル内での配置パターンを示す。図２においては、縦方向が時間方向となり、横方向が周波数方向となる。
【００１６】
図２の例では、SP信号は、OFDM信号送信フレームの中で、図中の黒丸で示す配置で割り当てられている。すなわち、SP信号は、既知の振幅と位相を持つ複素ベクトルであり、一定の間隔で配置される。SP信号とSP信号との間には、伝送の対象になるデータ搬送波（図中の白丸）が配置される。OFDM受信機１においては、伝送路特性の影響を受けて歪んだ状態でSP信号が得られるが、送信時のSP信号の状態が既知であるため、送信時のSP信号と、受信時のSP信号とを比較することによって、伝送路特性が得られる。
【００１７】
時間方向伝送路推定回路１９は、SP信号抽出回路１８により推定された伝送路特性に基づいて、SP信号が配置されているサブキャリアの、時間方向（OFDMシンボル方向）に並ぶ各OFDMシンボルの位置における伝送路特性を推定する。時間方向伝送路推定回路１９は、それぞれのOFDMシンボルの位置におけるサブキャリア毎の伝送路特性を表わす信号を、複合型遅延プロファイル推定器１５および周波数方向伝送路推定回路２０に供給する。
【００１８】
周波数方向伝送路推定回路２０は、時間方向伝送路推定回路１９により推定された伝送路特性に基づいて、周波数方向（サブキャリア方向）に並ぶ各OFDMシンボルの位置におけるサブキャリアの伝送路特性を推定する。伝送路特性の推定は、SP信号抽出回路１８、時間方向伝送路推定回路１９により既に推定されている伝送路特性を用いて行われる。
【００１９】
この結果、すべてのOFDMシンボルの位置におけるサブキャリアの伝送路特性が推定される。周波数方向伝送路推定回路２０は、推定した伝送路特性を表わす信号を伝送路補償器２１に供給する。
【００２０】
伝送路補償器２１は、周波数方向伝送路推定回路２０により推定された伝送路特性を用いて、FFT演算回路１７から供給された周波数領域OFDM信号に含まれる、伝送路による歪みの成分を除去する。伝送路補償器２１は、歪みの成分を除去した周波数領域OFDM信号を、等化器出力信号として、後段の回路に出力する。
【００２１】
一方、複合型遅延プロファイル推定器１５は、時間方向伝送路推定回路１９により推定された伝送路特性に基づいて、伝送路の時間応答特性を求めることによって伝送路の遅延プロファイルを推定し、推定した遅延プロファイルを表わす信号をウィンドウ再生回路１６に供給する。
【００２２】
ここで、遅延プロファイルとは、送信側の送信機（図示せず）からOFDM受信機１へ到達する経路のインパルス応答を表わしたものであって、図３の構成を有する複合型遅延プロファイル推定器１５によって推定される。複合型遅延プロファイル推定器１５は、図３に示すように、マッチドフィルタ型プロファイル推定部３１、遅延プロファイル推定部３２、およびIFFTプロファイル推定部３３から構成される。
【００２３】
マッチドフィルタ型プロファイル推定部３１は、直交復調器１４から供給された時間領域OFDM信号に対し、所定の適応フィルタ処理を施し、推定プロファイルを算出する。ここで、時間領域OFDM信号に施す適応フィルタ処理としては、例えば、特許文献１に開示されている手法を採用できる。特許文献１には、インパルス応答を有する整合フィルタの出力信号に関するエネルギー分布に基づいて、信号サンプルを表わすデータからデータを再生するための受信信号サンプルの窓の位置を決定する同期位置を推定する同期検出器について開示されています。マッチドフィルタ型プロファイル推定部３１は、算出した推定プロファイルを遅延プロファイル推定部３２に供給する。
【００２４】
より具体的には、マッチドフィルタ型プロファイル推定部３１は、図４に示すように、マッチドフィルタ４１および雑音除去器４２から構成される。
【００２５】
マッチドフィルタ４１は、直交復調器１４から供給された時間領域OFDM信号に対し、所定の適応フィルタ処理を施し、それにより得られた推定プロファイルを、雑音除去器４２に出力する。
【００２６】
雑音除去器４２は、マッチドフィルタ４１から供給される推定プロファイルに対し、雑音除去を行い、雑音の影響が抑圧された推定プロファイルを、遅延プロファイル推定部３２に出力する。
【００２７】
ここで、雑音除去器４２で行われる雑音除去の手法としては、あらかじめ決められている所定の固定値以下の成分を雑音とみなし、固定値以下の成分の値を所定の値に置換することで、雑音除去を行う手法を採用できる。例えば、上記の特許文献１には、所定の値以下となる成分を０に置換することで、雑音抑圧の効果を得られることが記載されている。このとき、設定した雑音量と、実際の雑音量との誤差は、下記の式（１）で表わすことができる。
【００２８】
誤差＝｜雑音量−雑音量設定値｜・・・（１）
【００２９】
図３に戻り、一方、IFFTプロファイル推定部３３は、時間方向伝送路推定回路１９から供給される出力信号に対してIFFT演算処理を施し、推定プロファイルを算出する。IFFTプロファイル推定部３３は、算出した推定プロファイルを遅延プロファイル推定部３２に供給する。
【００３０】
遅延プロファイル推定部３２には、マッチドフィルタ型プロファイル推定部３１と、IFFTプロファイル推定部３３からそれぞれ、推定プロファイルが供給される。遅延プロファイル推定部３２は、取得したプロファイル推定結果を統合して遅延プロファイルを算出し、ウィンドウ再生信号を生成する。遅延プロファイル推定部３２は、生成したウィンドウ再生信号を、FFTウィンドウ有効フラグを表わす信号として、ウィンドウ再生回路１６に供給する。
【００３１】
以上のようにして、従来のOFDM受信機１は構成される。
【特許文献１】特開２００２−３６８７１７号公報
【発明の開示】
【発明が解決しようとする課題】
【００３２】
しかしながら、上記の複合型遅延プロファイル推定器１５において、マッチドフィルタ型プロファイル推定部３１の雑音除去手法は、雑音量に関わらず、固定値以下の成分を雑音成分とみなして雑音除去を行っているために、雑音の多い環境と少ない環境でのプロファイル推定精度の両立が不可能であるという問題があった。
【００３３】
例えば、仮に、雑音の多い環境に合わせて固定値を設定した場合、雑音の少ない環境においては、雑音よりも十分に大きいパス成分であっても固定値以下となる場合には除去されてしまい、パス検出精度の劣化が生じる。また逆に、雑音の少ない環境に合わせて固定値を設定した場合、雑音の多い環境においては、固定値を上回る雑音成分により、パスの誤検出が発生し、この場合においてもパス検出精度の劣化が生じてしまう。
【００３４】
本発明はこのような状況に鑑みてなされたものであり、雑音の多い環境と少ない環境での遅延プロファイル推定精度の両立を可能にするものである。
【課題を解決するための手段】
【００３５】
本発明の一側面の受信装置は、長い遅延のエコーを推定可能な第１のプロファイル推定器による第１のプロファイル推定結果と、短い遅延のエコーを推定可能な第２のプロファイル推定器による第２のプロファイル推定結果に基づいて遅延プロファイルの推定を行う受信装置において、前記第２のプロファイル推定結果に基づいて、前記第１のプロファイル推定器における雑音量を適応的に推定する推定手段と、推定された前記雑音量に基づいて、前記第１のプロファイル推定結果の雑音を除去する除去手段とを備える。
【００３６】
前記第２のプロファイル推定結果に対し、パス成分があるか、あるいはパス成分がないかを判定し、判定結果に応じて、パスあり信号と、パスなし信号に変換する変換手段を備え、前記推定手段は、前記第１のプロファイル推定結果のうち、前記パスあり信号の区間を０に置換してから平均パワーを演算することで得られる結果を推定雑音量とする。
【００３７】
推定された前記推定雑音量を保持する保持手段をさらに備え、前記推定手段は、前記第１のプロファイル推定結果のうち、前記パスあり信号の区間を、保持していた前記推定雑音量に置換してから平均パワーを演算することで得られる結果を推定雑音量とする。
【００３８】
前記パスあり信号を、最大パワーとなるパス成分を中心に反転させる反転手段をさらに備え、前記推定手段は、前記第１のプロファイル推定結果のうち、前記パスあり信号の区間と、反転されたパスあり信号の区間を０に置換してから平均パワーを演算することで得られる結果を推定雑音量とする。
【００３９】
推定された前記推定雑音量を保持する保持手段をさらに備え、前記推定手段は、前記第１のプロファイル推定結果のうち、前記パスあり信号の区間と、反転されたパスあり信号の区間を、保持していた前記推定雑音量に置換してから平均パワーを演算することで得られる結果を推定雑音量とする。
【００４０】
前記第１のプロファイル推定器は、受信信号の自己相関をとることで信号の到来時間の分布を推定するマッチドフィルタ型のプロファイル推定器であり、前記第２のプロファイル推定器は、フレームに含まれるSP信号を復調して得られた周波数軸での伝播路情報を逆フーリエ変換することで、時間軸でのインパルス応答を推定するIFFT型のプロファイル推定器である。
【００４１】
本発明の一側面の受信方法は、長い遅延のエコーを推定可能な第１のプロファイル推定器による第１のプロファイル推定結果と、短い遅延のエコーを推定可能な第２のプロファイル推定器による第２のプロファイル推定結果に基づいて遅延プロファイルの推定を行う受信装置の受信方法において、前記第２のプロファイル推定結果に基づいて、前記第１のプロファイル推定器における雑音量を適応的に推定し、推定された前記雑音量に基づいて、前記第１のプロファイル推定結果の雑音を除去するステップを含む。
【００４２】
本発明の一側面のプログラムは、上述した本発明の一側面の受信方法に対応するプログラムである
【００４３】
本発明の一側面の受信装置および方法、並びにプログラムにおいては、短い遅延のエコーを推定可能な第２のプロファイル推定器による第２のプロファイル推定結果に基づいて、長い遅延のエコーを推定可能な第１のプロファイル推定器における雑音量が適応的に推定され、推定された雑音量に基づいて、第１のプロファイル推定器による第１のプロファイル推定結果の雑音が除去される。
【発明の効果】
【００４４】
以上のように、本発明の一側面によれば、雑音の多い環境と少ない環境での遅延プロファイルの推定精度の両立を可能にすることができる。
【発明を実施するための最良の形態】
【００４５】
以下、図面を参照しながら本発明の実施の形態について説明する。
【００４６】
図５は、本発明を適用したOFDM受信機の一実施の形態の構成を示すブロック図である。
【００４７】
なお、図５のOFDM受信機５１では、図１のOFDM受信機１に対応する部分には、対応する符号が付してあり、処理が同じ部分に関しては、その説明は繰り返しになるので省略する。すなわち、図５において、受信アンテナ１１乃至直交復調器１４およびウィンドウ再生回路１６乃至伝送路補償器２１のそれぞれは、図１のそれらと基本的に同様の構成と機能を有している。
【００４８】
ただし、図５に示されるように、本実施の形態のOFDM受信機５１においては、雑音の多い環境や少ない環境に関わらず、適切に雑音除去を行うために、図１の複合型遅延プロファイル推定器１５の代わりに、複合型遅延プロファイル推定器６１が設けられている。
【００４９】
詳細には、図６に示すように、複合型遅延プロファイル推定器６１は、マッチドフィルタ型プロファイル推定部７１、遅延プロファイル推定部７２、およびIFFTプロファイル推定部７３から構成される。
【００５０】
ここで、各プロファイル推定器の原理と特徴について説明すると次のようになる。
【００５１】
マッチドフィルタ型プロファイル推定部７１は、受信信号の自己相関をとることで信号の到来時間の分布を推定し、推定プロファイルを得る。その特徴としては、長い遅延のエコーであっても推定が可能であるという利点がある。また、かかる推定出力には、エコー位置以外に、ゴーストエコーと称されるピークが出現し、パス数が増加するにつれてゴーストエコーは増えるために、精度が劣化するという特徴もある。
【００５２】
IFFTプロファイル推定部７３は、フレーム中に含まれるSP信号を復調し得られた周波数軸での伝播路情報を、逆フーリエ変換することで時間軸でのインパルス応答を推定し、推定プロファイルを得る。その特徴としては、短い遅延のエコーであれば精度良く推定が可能であるという利点がある。また、かかる推定方式では、周波数軸のSP信号の間隔により、推定可能な時間領域の遅延量が決定し、この遅延量を超えた成分は、いわゆるエイリアジングとして見えるため正しい推定ができなくなるという特徴もある。
【００５３】
遅延プロファイル推定部７２には、マッチドフィルタ型プロファイル推定部７１と、IFFTプロファイル推定部７３からそれぞれ、推定プロファイルが供給される。遅延プロファイル推定部７２は、取得したプロファイル推定結果を統合して遅延プロファイルを算出し、ウィンドウ再生信号を生成し、FFTウィンドウ有効フラグを表わす信号として、ウィンドウ再生回路１６に供給する。
【００５４】
すなわち、複合型遅延プロファイル推定器６１は、マッチドフィルタ型プロファイル推定部７１によるプロファイル推定結果と、IFFTプロファイル推定部７３によるプロファイル推定結果に基づいて遅延プロファイルの推定を行うことで、短い遅延と長い遅延の性能を両立したプロファイル推定器を実現している。
【００５５】
なお、上述したように、遅延プロファイルとは、送信側の送信機（図示せず）からOFDM受信機５１へ到達する経路のインパルス応答を表わしたものであって、本実施の形態においては、特に、OFDM受信機５１への信号の到来時刻の分布を表わしている。
【００５６】
ところで、複合型遅延プロファイル推定器６１は、図３の複合型遅延プロファイル推定器１５と比べて、IFFTプロファイル推定部７３からマッチドフィルタ型プロファイル推定部７１に対し、プロファイル推定結果を表わす信号が出力される点において異なっている。すなわち、マッチドフィルタ型プロファイル推定部７１には、直交復調器１４からの時間領域OFDM信号の他に、IFFTプロファイル推定部７３からのプロファイル推定結果を表わす信号が供給される。
【００５７】
マッチドフィルタ型プロファイル推定部７１は、図７に示すように、マッチドフィルタ８１、雑音除去器８２、雑音推定器８３、およびパス有無フラグ変換器８４から構成される。マッチドフィルタ型プロファイル推定部７１において、マッチドフィルタ８１には、時間領域OFDM信号が供給され、パス有無フラグ変換器８４には、IFFTプロファイル推定部７３からのプロファイル推定結果を表わす信号が供給される。
【００５８】
マッチドフィルタ８１は、直交復調器１４から供給された時間領域OFDM信号に対し、所定の適応フィルタ処理を施し、それにより得られた推定プロファイルを、雑音除去器８２および雑音推定器８３に出力する。
【００５９】
パス有無フラグ変換器８４は、IFFTプロファイル推定部７３からのプロファイル推定結果を表わす信号に対し、パス成分があるか、あるいはパス成分がないかを判定し、判定結果に応じて、パスありフラグ信号と、パスなしフラグ信号に変換する。パス有無フラグ変換器８４は、パス成分の有無を示すフラグ（以下、パス有無フラグと称する）を表わす信号を雑音推定器８３に供給する。
【００６０】
雑音推定器８３には、マッチドフィルタ８１からの推定プロファイルを表わす信号と、パス有無フラグ変換器８４からのパス有無フラグを表わす信号が供給される。雑音推定器８３は、パス有無フラグを表わす信号に基づいて、推定プロファイルを表わす信号のうち、パスなしと判定された区間の平均パワーを求めて、推定雑音量とする。
【００６１】
ここで、図８を参照して、図７の雑音推定器８３により行われる推定雑音量の演算処理の詳細について説明する。
【００６２】
図８の例では、図中上側から、マッチドフィルタ８１からの推定プロファイルを表わす信号の出力、パス有無フラグ変換器８４からのパス有無フラグを表わす信号の出力、雑音推定器８３内で行われる演算処理のそれぞれのタイミングチャートを表わしている。また、図８においては、図中の左側から右側に向かう方向が時間方向とされる。
【００６３】
マッチドフィルタ出力、すなわち、推定プロファイルを表わす信号には、伝送路インパルス応答に対応するピークの他に、伝送路インパルス応答には対応しないピークも存在する。このピークのことをゴーストエコーと称し、図８のマッチドフィルタ出力では、このゴーストエコー成分のある区間を点線で表わしている。一方、図８のマッチドフィルタ出力では、パス成分のある区間を実線で表わしている。
【００６４】
パス有無フラグは、IFFTプロファイル推定部７３によるプロファイル推定結果のパスあり、あるいはパスなしを示す信号であって、フラグが立っている区間がパスありの区間を示し、フラグの立っていない区間がパスなしの区間を示している。
【００６５】
雑音推定器８３には、図８のマッチドフィルタ出力とパス有無フラグが入力されるので、図８の雑音推定器内で示すように、雑音推定器８３は、マッチドフィルタ出力のうち、パスありフラグの立っている区間を０に置換し、平均パワーを演算することで、雑音量の推定を行う。
【００６６】
すなわち、かかる手法（以下、第１の手法と称する）による推定雑音量は、下記の式（２）で表わされる。
【００６７】
推定雑音量＝（雑音量×パスなし区間長＋ゴーストエコー成分）／（パスあり区間長＋パスなし区間長）・・・（２）
【００６８】
また、このときの誤差は、下記の式（３）で表すことができる。
【００６９】
誤差＝（ゴーストエコー成分−雑音量×パスあり区間長）／（パスあり区間長＋パスなし区間長）・・・（３）
【００７０】
雑音推定器８３は、演算により求めた推定雑音量を雑音除去器８２に出力する。
【００７１】
図７に戻り、雑音除去器８２は、雑音推定器８３から供給された推定雑音量に基づいて、マッチドフィルタ８１から供給される推定プロファイルを表わす信号に対し、雑音除去処理を施す。雑音除去器８２は、雑音除去処理を施されることにより、雑音の影響が抑圧された推定プロファイルを、遅延プロファイル推定部７２に出力する。
【００７２】
以上のように、図７のマッチドフィルタ型プロファイル推定部７１は、従来の手法に比べ、推定誤差が雑音量に依存してしまう成分を軽減でき、雑音量に対する雑音推定精度のロバスト性が得られる。
【００７３】
ところで、上記の特許文献１には、ゴーストエコー成分の一部は、最大パワーのパス成分を中心として、本来のパス成分の線対称位置に現れることが記載されている。ここで、かかる位置に現れるゴーストエコーを、「対称ゴーストエコー」と称し、これに対し、パスの相対位置ではない位置に現れるゴーストエコーを、「非対称ゴーストエコー」と称すると、図８においてゴーストエコー成分と称していたゴーストエコーのパワーは、下記の式（４）で表わされる。
【００７４】
ゴーストエコー成分＝対称ゴーストエコー成分＋非対称ゴーストエコー成分
・・・（４）
【００７５】
すなわち、最大パワーのパス成分を中心として、本来のパス成分の線対称位置に対称ゴーストエコー成分が現れるという性質を利用して、ゴーストエコー成分による推定誤差の低減を行うことが可能となる。
【００７６】
かかる機能を実現するための構成を有するマッチドフィルタ型プロファイル推定部７１が、図９に示されている。
【００７７】
なお、図９では、図７と同様の箇所には、同一の符号が付してあり、処理が同じ部分に関しては、その説明は繰り返しになるので省略する。この例においては、雑音推定器８３とパス有無フラグ変換器８４との間に、パス有無フラグ反転器８５が設けられている。
【００７８】
パス有無フラグ反転器８５は、パス有無フラグ変換器８４からのIFFTプロファイル推定結果によるパス有無フラグを、最大パワーパス成分を中心に反転し、その結果（以下、パス有無フラグ反転と称する）を表わす信号を雑音推定器８３に供給する。
【００７９】
雑音推定器８３には、マッチドフィルタ８１からの推定プロファイルを表わす信号と、パス有無フラグ変換器８４からのパス有無フラグを表わす信号の他に、パス有無フラグ反転器８５からのパス有無フラグ反転を表わす信号が供給される。雑音推定器８３は、パス有無フラグを表わす信号およびパス有無フラグ反転を表わす信号に基づいて、推定プロファイルを表わす信号のうち、パスなしと判定された区間であって、反転パスなしと判定された区間の平均パワーを求めて、推定雑音量とする。
【００８０】
ここで、図１０を参照して、図９の雑音推定器８３により行われる推定雑音量の演算処理の詳細について説明する。
【００８１】
図１０の例では、図８と比較して、パス有無フラグ変換器８４からのパス有無フラグを表わす信号の出力と、雑音推定器８３内で行われる演算処理のタイミングチャートの間に、パス有無フラグ反転器８５からのパス有無フラグ反転を表わす信号のタイミングチャートが示されている。また、図１０においても、図８と同様に、図中左側から右側に向かう方向が時間方向とされる。
【００８２】
図１０において、マッチドフィルタ出力、すなわち、推定プロファイルを表わす信号には、パス成分のうち最大パワーとなる最大パワーパス成分を中心として、パス成分の線対称となる位置に対称ゴーストエコー成分が現れる。また、パス成分と線対称にならない位置には、非対称ゴーストエコー成分が現れる。
【００８３】
パス有無フラグは、図８と同様に、IFFTプロファイル推定部７３によるプロファイル推定結果によるパスあり、あるいはパスなしを示す信号である。パス有無フラグ反転は、そのIFFTプロファイル推定部７３によるプロファイル推定結果によるパス有無フラグを表わす信号を、最大パワー成分を中心に反転させた信号である。従って、図１０において、パス有無フラグを表わす信号と、パス有無フラグ反転を表わす信号は、最大パワーパス成分のフラグが立っている区間を中心に対称な位置となる。例えば、図１０の例では、パス有無フラグの最後（３番目）の立ち上がりと、パス有無フラグ反転の最初（１番目）の立ち上がりが最大パワーパス成分の区間を示しており、その最大パワーパス成分の区間を中心に、パス有無フラグの２番目の立ち上がりと、パス有無フラグ反転の２番目の立ち上がり、および、パス有無フラグの最初（１番目）の立ち上がりと、パス有無フラグ反転の最後（３番目）の立ち上がりのそれぞれが対称な位置となる。
【００８４】
雑音推定器８３には、図１０のマッチドフィルタ出力、パス有無フラグ、およびパス有無フラグ反転がそれぞれ入力されるので、図１０の雑音推定器内で示すように、雑音推定器８３は、マッチドフィルタ出力のうち、パスありフラグの立っている区間と、反転パスありフラグの立っている区間の両方の区間を０に置換し、平均パワーを演算することで、雑音量の推定を行う。
【００８５】
すなわち、かかる手法（以下、第２の手法と称する）による推定雑音量は、下記の式（５）で表わされる。
【００８６】
推定雑音量＝（雑音量×第２パスなし区間長＋非対称ゴーストエコー成分）／（第２パスあり区間長＋第２パスなし区間長）・・・（５）
【００８７】
なお、式（５）では、上記の式（２）と区別するために、パス有無フラグと、パス有無フラグ反転のどちらか一方でも立っている区間を第２パスあり区間とし、それらのフラグがどちらも立っていない区間を第２パスなし区間としている。
【００８８】
また、このときの誤差は、下記の式（６）で表すことができる。
【００８９】
誤差＝（非対称ゴーストエコー成分−雑音量×第２パスあり区間長）／（第２パスあり区間長＋第２パスなし区間長）・・・（６）
【００９０】
雑音推定器８３は、演算により求めた推定雑音量を雑音除去器８２に出力する。
【００９１】
なお、図９において、その他の構成は、図７における場合と同様である。
【００９２】
以上のように、図９のマッチドフィルタ型プロファイル推定部７１は、第２の手法により推定雑音量を演算するので、マルチパス環境において、ゴーストエコー成分により推定誤差が大きくなる場合に、対称ゴーストエコー成分を雑音推定から除外できるため、第１の手法と比べると、推定精度をさらに高めることができる。
【００９３】
ところで、パス数の多いマルチパス環境においては、第２の手法で説明した第２パスあり区間長が大きくなることで、結果として、推定誤差が大きくなってしまう可能性がある。そこで、次に、かかる環境であっても、雑音推定精度を高める手法をについて説明する。
【００９４】
図１１は、かかる機能を実現するための構成を有するマッチドフィルタ型プロファイル推定部７１を示すブロック図である。
【００９５】
なお、図１１では、図９と同様の箇所には、同一の符号が付してあり、処理が同じ部分に関しては、その説明は繰り返しになるので省略する。この例においては、雑音除去器８２と雑音推定器８３との間に、推定雑音保持部８６が設けられている。推定雑音保持部８６は、雑音推定器８３により演算された推定雑音量を保持する。
【００９６】
すなわち、雑音推定器８３は、演算により求めた推定雑音量を雑音除去器８２に供給するのと同時に、その推定雑音量を推定雑音保持部８６に保持する。推定雑音保持部８６は、雑音推定器８３により次に推定雑音量を求める演算が行われるタイミングで、保持している推定雑音量（前回演算された雑音推定量）を雑音推定器８３に供給する。
【００９７】
雑音推定器８３には、マッチドフィルタ８１からの推定プロファイルを表わす信号、パス有無フラグ変換器８４からのパス有無フラグを表わす信号、およびパス有無フラグ反転器８５からのパス有無反転を表わす信号の他に、推定雑音保持部８６からの前回推定雑音量が供給される。雑音推定器８３は、パス有無フラグを表わす信号、パス有無フラグ反転を表わす信号、および前回推定雑音量に基づいて、推定プロファイルを表わす信号のうち、パスなしと判定された区間であって、反転パスなしと判定された区間の平均パワーを求めて、推定雑音量とする。
【００９８】
ここで、図１２を参照して、図１１の雑音推定器８３により行われる推定雑音量の演算処理の詳細について説明する。
【００９９】
図１２の例では、図１０と比較して、マッチドフィルタ出力、パス有無フラグ、およびパス有無フラグ反転のそれぞれのタイミングチャートは同様である。また、図１２においても、図１０と同様に、図中左側から右側に向かう方向が時間方向とされる。
【０１００】
図１２において、雑音推定器８３には、マッチドフィルタ出力、パス有無フラグ、およびパス有無フラグ反転がそれぞれ入力されるので、雑音推定器内で示すように、雑音推定器８３は、マッチドフィルタ出力のうち、パスありフラグの立っている区間と、反転パスありフラグの立っている区間の両方の区間の値を置換するが、ここでは、図１０のように、０に置換するのではなく、推定雑音保持部８６から供給される前回推定雑音量に置換する。
【０１０１】
雑音推定器８３は、マッチドフィルタ出力のうち、パスありフラグの立っている区間と、反転パスありフラグの立っている区間の両方の区間を前回推定雑音量に置換し、平均パワーを演算することで、雑音量の推定を行う。
【０１０２】
すなわち、かかる手法（以下、第３の手法と称する）による推定雑音量は、下記の式（７）で表わされる。
【０１０３】
推定雑音量＝（雑音量×第２パスなし区間長＋前回推定雑音量×第２パスあり区間長＋非対称ゴーストエコー成分）／（第２パスあり区間長＋第２パスなし区間長）
・・・（７）
【０１０４】
また、このときの誤差は、下記の式（８）で表すことができる。
【０１０５】
誤差＝（非対称ゴーストエコー成分−（雑音量−前回推定雑音量）×第２パスあり区間長）／（第２パスあり区間長＋第２パスなし区間長）・・・（８）
【０１０６】
雑音推定器８３は、演算により求めた推定雑音量を雑音除去器８２に出力する。
【０１０７】
なお、図１１において、その他の構成は、図９における場合と同様である。
【０１０８】
以上のように、図１１のマッチドフィルタ型プロファイル推定部７１は、第３の手法により推定雑音量を演算するので、雑音推定の試行を重ねて雑音量と、前回推定雑音量とが漸近していくと、推定誤差量は非対称ゴーストエコー成分のみとなり、第２の手法と比べると、マルチパス環境に対する推定精度のロバスト性をさらに高めることができる。
【０１０９】
なお、図１１では、推定雑音保持部８６を、図９の構成に加えた例について説明したが、同様にして図７の構成に加えることも可能である。その場合、推定雑音保持部８６は、雑音除去器８２と雑音推定器８３との間に設けられ、雑音推定器８３は、マッチドフィルタ出力のうち、パスありフラグの立っている区間の値を、０に置換するのではなく、推定雑音保持部８６から供給される前回推定雑音量に置換する。
【０１１０】
次に、以上のような構成を有するOFDM受信機５１の処理について説明する。
【０１１１】
はじめに、図１３のフローチャートを参照して、図５のOFDM受信機５１によるOFDM復調処理について説明する。
【０１１２】
ステップＳ１において、周波数変換器１２は、受信アンテナ１１において受信されたRF信号をIF信号に周波数変換し、IF信号をA/D変換器１３に供給する。
【０１１３】
ステップＳ２において、A/D変換器１３は、IF信号に対してA/D変換を施し、デジタルのIF信号を直交復調器１４に供給する。
【０１１４】
ステップＳ３において、直交復調器１４は直交復調を行い、それにより得られた時間領域OFDM信号を、FFT演算回路１７、ウィンドウ再生回路１６、および複合型遅延プロファイル推定器６１にそれぞれ供給する。
【０１１５】
ステップＳ４において、FFT演算回路１７はFFT演算処理を行う。FFT演算処理を行うことによって得られた周波数領域OFDM信号は、SP信号抽出回路１８と、伝送路補償器２１に出力される。FFT演算処理の詳細については、図１４のフローチャートを参照して後述する。
【０１１６】
ステップＳ５において、SP信号抽出回路１８は、周波数領域OFDM信号からSP信号を抽出し、SP信号位置におけるサブキャリアの伝送路特性を推定する。SP信号抽出回路１８は、推定した伝送路特性を表わす信号を、時間方向伝送路推定回路１９に供給する。
【０１１７】
ステップＳ６において、時間方向伝送路推定回路１９は、SP信号が配置されているサブキャリアの、時間方向に並ぶ各OFDMシンボルの位置における伝送路特性を推定する。時間方向伝送路推定回路１９は、推定した伝送路特性を表わす信号を、複合型遅延プロファイル推定器６１と、周波数方向伝送路推定回路２０に供給する。
【０１１８】
ステップＳ７において、周波数方向伝送路推定回路２０は、周波数方向に並ぶ各OFDMシンボルの位置におけるサブキャリアの伝送路特性を推定する。周波数方向伝送路推定回路２０は、推定した伝送路特性を表わす信号を、伝送路補償器２１に供給する。
【０１１９】
ステップＳ８において、伝送路補償器２１は、周波数領域OFDM信号に含まれる歪みの成分を除去する。伝送路補償器２１は、歪みの成分を除去した周波数領域OFDM信号を等化器出力信号として、後段の回路に出力し、OFDM復調処理は終了する。
【０１２０】
次に、図１４のフローチャートを参照して、図１３のステップＳ４の処理で行われる、FFT演算処理の詳細について説明する。
【０１２１】
ステップＳ１１において、複合型遅延プロファイル推定器６１は、遅延プロファイル推定処理を行う。複合型遅延プロファイル推定器６１は、遅延プロファイル推定処理を行うことにより得られた遅延プロファイルに基づいたFFTウィンドウ有効フラグを表わす信号を、ウィンドウ再生回路１６に出力する。
【０１２２】
ここで、ステップＳ１１の処理に対応する、遅延プロファイル推定処理の詳細について、図１５のフローチャートを参照して説明する。
【０１２３】
ステップＳ３１において、IFFTプロファイル推定部７３は、時間方向伝送路推定回路１９から供給される出力信号に対し、IFFT演算処理を施し、推定プロファイルを算出する。IFFTプロファイル推定部３３は、算出した推定プロファイルを表わす信号を、マッチドフィルタ型プロファイル推定部７１と、遅延プロファイル推定部７２に出力する。
【０１２４】
ステップＳ３２において、マッチドフィルタ型プロファイル推定部７１は、直交復調器１４からの時間領域OFDM信号と、IFFTプロファイル推定部７３からのプロファイル推定結果を表わす信号に基づいて、マッチドフィルタ型プロファイル推定処理を行い、それにより得られた推定プロファイルを、遅延プロファイル推定部７２に出力する。
【０１２５】
なお、上述したように、本実施の形態では、マッチドフィルタ型プロファイル推定処理として、第１の手法乃至第３の手法の３つの手法を提案しており、それらの詳細については、図１６乃至図１８のフローチャートを参照して後述する。
【０１２６】
ステップＳ３３において、遅延プロファイル推定部７２は、マッチドフィルタ型プロファイル推定部７１と、IFFTプロファイル推定部７３のそれぞれから供給される推定プロファイルを表わす信号に基づいて、プロファイル推定結果を統合して遅延プロファイルを算出し、ウィンドウ再生信号を生成する。遅延プロファイル推定部７２は、生成したウィンドウ再生信号を、FFTウィンドウ有効フラグを表わす信号として、ウィンドウ再生回路１６に出力し、遅延プロファイル推定処理は終了する。
【０１２７】
図１４のフローチャートに戻り、ステップＳ１２において、ウィンドウ再生回路１６は、複合型遅延プロファイル推定器６１からのFFTウィンドウ有効フラグを表わす信号に基づいて、FFTウィンドウ位置を決定し、決定したFFTウィンドウ位置を指定する信号を、FFT演算回路１７に供給する。
【０１２８】
ステップＳ１３において、FFT演算回路１７は、指定されたFFTウィンドウ位置にしたがって、FFT演算処理を行い、時間領域OFDM信号を周波数領域OFDM信号に変換し、SP信号抽出回路１８と、伝送路補償器２１に出力する。その後、処理は、図１３のステップＳ４に戻る。
【０１２９】
次に、図１６乃至図１８のフローチャートを参照して、図１５のステップＳ３２の処理で行われる、マッチドフィルタ型プロファイル推定処理の詳細について説明する。
【０１３０】
まず、図１６のフローチャートを参照して、第１の手法、すなわち、図７のマッチドフィルタ型プロファイル推定部７１による、マッチドフィルタ型プロファイル推定処理について説明する。
【０１３１】
ステップＳ５１において、マッチドフィルタ８１は、直交復調器１４からの時間領域OFDM信号に対し、所定の適応フィルタ処理を施し、それにより得られた推定プロファイルを表わす信号を、雑音除去器８２および雑音推定器８３に出力する。
【０１３２】
ステップＳ５２において、パス有無フラグ変換器８４は、IFFTプロファイル推定部７３からのプロファイル推定結果を表わす信号に対し、パス成分があるか、あるいはパス成分がないかを判定し、判定結果に応じたパス有無フラグを表わす信号を、雑音推定器８３に出力する。
【０１３３】
ステップＳ５３において、雑音推定器８３は、パス有無フラグ変換器８４からのパス有無フラグを表わす信号に基づいて、上記の式（２）により、マッチドフィルタ８１からの推定プロファイルを表わす信号のうち、パスありと判定された区間を０に置換してから
平均パワーを求めて、推定雑音量とする。雑音推定器８３は、演算により求めた推定雑音量を雑音除去器８２に出力する。
【０１３４】
ステップＳ５４において、雑音除去器８２は、雑音推定器８３からの推定雑音量に基づいて、マッチドフィルタ８１からの推定プロファイル信号に対し、雑音除去処理を施す。雑音除去器８２は、雑音除去処理を施されることにより得られた推定プロファイルを表わす信号を、遅延プロファイル推定部７２に出力する。その後、処理は、図１５のステップＳ３２に戻る。
【０１３５】
次に、図１７のフローチャートを参照して、第２の手法、すなわち、図９のマッチドフィルタ型プロファイル推定部７１による、マッチドフィルタ型プロファイル推定処理の詳細について説明する。
【０１３６】
ステップＳ７１およびステップＳ７２においては、図１６のステップＳ５１およびステップＳ５２の処理と同様に、マッチドフィルタ８１によって、所定の適応フィルタ処理が行われ、パス有無フラグ変換器８４によって、パス有無フラグ変換処理が行われる。
【０１３７】
ステップＳ７３において、パス有無フラグ反転器８５は、パス有無フラグ変換器８４からのIFFTプロファイル推定結果によるパス有無フラグを、最大パワーパス成分を中心に反転し、それにより得られたパス有無フラグ反転を表わす信号を、雑音推定器８３に出力する。
【０１３８】
ステップＳ７４において、雑音推定器８３は、パス有無フラグ変換器８４からのパス有無フラグを表わす信号と、パス有無フラグ反転器８５からのパス有無フラグ反転を表わす信号に基づいて、上記の式（５）により、マッチドフィルタ８１からの推定プロファイルを表わす信号のうち、パスありと判定された区間と、反転パスありと判定された区間の両方の区間を０に置換してから平均パワーを求めて、推定雑音量とする。雑音推定器８３は、演算により求めた推定雑音量を雑音除去器８２に出力する。
【０１３９】
ステップＳ７５においては、図１６のステップＳ５４の処理と同様に、雑音除去器８２によって、所定の雑音除去処理が行われ、それにより得られた推定プロファイルを表わす信号が遅延プロファイル推定部７２に出力される。その後、処理は、図１５のステップＳ３２の処理に戻る。
【０１４０】
次に、図１８のフローチャートを参照して、第３の手法、すなわち、図１１のマッチドフィルタ型プロファイル推定部７１による、マッチドフィルタ型プロファイル推定処理の詳細について説明する。
【０１４１】
なお、図１８の処理において、推定雑音保持部８６は、既に、上記の前回推定雑音量を保持しているものとして説明する。
【０１４２】
ステップＳ９１乃至ステップＳ９３においては、図１７のステップＳ７１乃至ステップＳ７３の処理と同様に、マッチドフィルタ８１によって、所定の適応フィルタ処理が行われ、パス有無フラグ変換器８４によって、パス有無フラグ変換処理が行われ、パス有無フラグ反転器８５によって、パス有無フラグ反転処理が行われる。
【０１４３】
ステップＳ９４において、雑音推定器８３は、推定雑音保持部８６に保持されている前回雑音推定量を読み出す。
【０１４４】
ステップＳ９５において、雑音推定器８３は、パス有無フラグ変換器８４からのパス有無フラグを表わす信号、パス有無フラグ反転器８５からのパス有無フラグ反転を表わす信号、および推定雑音保持部８６から読み出した前回推定雑音量に基づいて、上記の式（７）により、マッチドフィルタ８１からの推定プロファイルを表わす信号のうち、パスありと判定された区間と、反転パスありと判定された区間の両方の区間を前回推定雑音量に置換してから平均パワーを求めて、推定雑音量とする。雑音推定器８３は、演算により求めた推定雑音量を雑音除去器８２と、推定雑音保持部８６に出力する。
【０１４５】
ステップＳ９６において、推定雑音保持部８６は、雑音推定器８３からの推定雑音量を保持する。つまり、この保持された推定雑音量が、雑音推定器８３で行われる次の演算において、前回推定雑音量として用いられる。
【０１４６】
ステップＳ９７においては、図１７のステップＳ７５の処理と同様に、雑音除去器８２によって、所定の雑音除去処理が行われ、それにより得られた推定プロファイルを表わす信号が遅延プロファイル推定部７２に出力される。その後、処理は、図１５のステップＳ３２の処理に戻る。
【０１４７】
以上のようにして、推定雑音量を適応的に演算することにより、マッチドフィルタ型プロファイル推定処理は行われる。
【０１４８】
以上の如く、本発明によれば、雑音量推定による適応的な雑音抑制効果の機能を有するマッチドフィルタ型プロファイル推定器出力として、雑音量によらず、安定したプロファイル推定結果を出力することができ、高い遅延プロファイル推定精度を持ったOFDM受信装置を実現できる。
【０１４９】
すなわち、かかるOFDM受信装置においては、雑音レベルを適応的に推定し、雑音除去を行うことにより、雑音の多い環境と、少ない環境での遅延プロファイル推定精度の両立が可能となる。
【０１５０】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０１５１】
図１９は、上述した一連の処理をプログラムにより実行するパーソナルコンピュータの構成の例を示すブロック図である。CPU（Central Processing Unit）１１１は、ROM（Read Only Memory）１１２、または記録部１１８に記録されているプログラムに従って各種の処理を実行する。RAM（Random Access Memory）１１３には、CPU１１１が実行するプログラムやデータ等が適宜記憶される。これらのCPU１１１、ROM１１２、およびRAM１１３は、バス１１４により相互に接続されている。
【０１５２】
CPU１１１にはまた、バス１１４を介して入出力インターフェース１１５が接続されている。入出力インターフェース１１５には、マイクロホン等よりなる入力部１１６、ディスプレイ、スピーカ等よりなる出力部１１７が接続されている。CPU１１１は、入力部１１６から入力される指令に対応して各種の処理を実行する。そして、CPU１１１は、処理の結果を出力部１１７に出力する。
【０１５３】
入出力インターフェース１１５に接続されている記録部１１８は、例えばハードディスクからなり、CPU１１１が実行するプログラムや各種のデータを記録する。通信部１１９は、インターネットやローカルエリアネットワーク等のネットワークを介して外部の装置と通信する。
【０１５４】
また、通信部１１９を介してプログラムを取得し、記録部１１８に記録してもよい。
【０１５５】
入出力インターフェース１１５に接続されているドライブ１２０は、磁気ディスク、光ディスク、光磁気ディスク、或いは半導体メモリ等のリムーバブルメディア１２１が装着されたとき、それらを駆動し、そこに記録されているプログラムやデータ等を取得する。取得されたプログラムやデータは、必要に応じて記録部１１８に転送され、記録される。
【０１５６】
コンピュータにインストールされ、コンピュータによって実行可能な状態とされるプログラムを格納するプログラム記録媒体は、図１９に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリ等よりなるパッケージメディアであるリムーバブルメディア１２１、または、プログラムが一時的もしくは永続的に格納されるROM１１２や、記録部１１８を構成するハードディスク等により構成される。プログラム記録媒体へのプログラムの格納は、必要に応じてルータ、モデム等のインターフェースである通信部１１９を介して、ローカルエリアネットワーク、インターネット、デジタル衛星放送といった、有線または無線の通信媒体を利用して行われる。
【０１５７】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５８】
また、本発明の実施の形態は、上述した実施の形態に限定されるものではなく、本発明の要旨を逸脱しない範囲において種々の変更が可能である。
【図面の簡単な説明】
【０１５９】
【図１】従来のOFDM受信機の構成を示すブロック図である。
【図２】SP信号のOFDMシンボル内での配置パターンを示す図である。
【図３】従来の複合型遅延プロファイル推定器の構成を示すブロック図である。
【図４】従来のマッチドフィルタ型プロファイル推定部の構成を示すブロック図である。
【図５】本発明を適用したOFDM受信機の一実施の形態の構成を示すブロック図である。
【図６】複合型遅延プロファイル推定器の構成例を示すブロック図である。
【図７】マッチドフィルタ型プロファイル推定部の構成例を示すブロック図である。
【図８】図７のマッチドフィルタ型プロファイル推定部の動作を説明するための図である。
【図９】マッチドフィルタ型プロファイル推定部の他の構成例を示すブロック図である。
【図１０】図９のマッチドフィルタ型プロファイル推定部の動作を説明するための図である。
【図１１】マッチドフィルタ型プロファイル推定部のさらに他の構成例を示すブロック図である。
【図１２】図１１のマッチドフィルタ型プロファイル推定部の動作を説明するための図である。
【図１３】OFDM復調処理について説明するフローチャートである。
【図１４】FFT演算処理について説明するフローチャートである。
【図１５】遅延プロファイル推定処理について説明するフローチャートである。
【図１６】図７のマッチドフィルタ型プロファイル推定部によるマッチドフィルタ型プロファイル推定処理について説明するフローチャートである。
【図１７】図９のマッチドフィルタ型プロファイル推定部によるマッチドフィルタ型プロファイル推定処理について説明するフローチャートである。
【図１８】図１１のマッチドフィルタ型プロファイル推定部によるマッチドフィルタ型プロファイル推定処理について説明するフローチャートである。
【図１９】本発明が適用される情報処理をソフトウェアで実行するコンピュータの構成例を示すブロック図である。
【符号の説明】
【０１６０】
１１  受信アンテナ，  １２  周波数変換器，  １３  A/D変換器，  １４  直交復調器，  １６  ウィンドウ再生回路，  １７  FFT演算回路，  １８  SP信号抽出回路，  １９  時間方向伝送路推定回路，  ２０  周波数方向伝送路推定回路，  ２１  伝送路補償器，  ５１  OFDM受信機，  ６１  複合型遅延プロファイル推定器，  ７１  マッチドフィルタ型プロファイル推定部，  ７２  遅延プロファイル推定部，  ７３  IFFTプロファイル推定部，  ８１  マッチドフィルタ，  ８２  雑音除去器，  ８３  雑音推定器，  ８４  パス有無フラグ変換器，  ８５  パス有無フラグ反転器，  ８６  推定雑音保持部
【図１】
2009164746.tif 000003
【図２】
2009164746.tif 000004
【図３】
2009164746.tif 000005
【図４】
2009164746.tif 000006
【図５】
2009164746.tif 000007
【図６】
2009164746.tif 000008
【図７】
2009164746.tif 000009
【図８】
2009164746.tif 000010
【図９】
2009164746.tif 000011
【図１０】
2009164746.tif 000012
【図１１】
2009164746.tif 000013
【図１２】
2009164746.tif 000014
【図１３】
2009164746.tif 000015
【図１４】
2009164746.tif 000016
【図１５】
2009164746.tif 000017
【図１６】
2009164746.tif 000018
【図１７】
2009164746.tif 000019
【図１８】
2009164746.tif 000020
【図１９】
2009164746.tif 000021